(57)【要約】【課題】装置を大型化することなく、延長トレイのガタつき等の発生を防ぐことのできるトレイ装置及び画像形成装置を提供する。【解決手段】延長トレイ４の延長トレイ引き出し方向と直交する両側端面に溝部４ｂを設け、延長トレイ４を引き出し可能に保持する保持部材３の両側端面に、延長トレイ４が引き出された際、溝部４ｂに臨む突起３ｂを設ける。そして、延長トレイ４が延長トレイ引き出し方向と直交する方向へ撓んだとき、溝部４ｂが突起３ｂに係止するようにする。【選択図】図６
2007210709.tif 000002
【特許請求の範囲】
【請求項１】
シートを積載するトレイ本体と、前記トレイ本体に引き出し可能に設けられた延長トレイと、前記延長トレイを引き出し可能に保持する保持部材と、を備えたトレイ装置において、
前記延長トレイに設けられた係止部と、
前記保持部材の、前記延長トレイが引き出された際、該延長トレイに設けられた前記係止部に臨む位置に設けられた被係止部と、を備え、
引き出された状態の前記延長トレイが延長トレイ引き出し方向と直交する方向へ撓んだ際、前記被係止部に前記係止部を係止させることを特徴とするトレイ装置。
【請求項２】
前記延長トレイに設けられた係止部は該延長トレイの延長トレイ引き出し方向と直交する両側端面に設けられた溝部であり、前記保持部材に設けられた被係止部は前記溝部が係止する突起であることを特徴とする請求項１記載のトレイ装置。
【請求項３】
前記延長トレイに設けられた係止部は上下方向に延びた突起部であり、前記保持部材に設けられた被係止部は前記突起部が係止する該保持部材の延長トレイ引き出し方向下流側の側壁面であることを特徴とする請求項１記載のトレイ装置。
【請求項４】
前記保持部材の両側面に前記引き出された延長トレイの厚さ方向への移動を規制する規制部を対向して設け、前記突起部を前記規制部の間に位置するよう前記延長トレイに設けたことを特徴とする請求項３記載のトレイ装置。
【請求項５】
前記延長トレイに設けられた係止部は延長トレイ引き出し方向と直交する方向に延びたリブであり、前記保持部材に設けられた被係止部は前記リブが係止する延長トレイ引き出し方向と直交する方向に延びた突起部であることを特徴とする請求項１記載のトレイ装置。
【請求項６】
前記保持部材の両側面に前記引き出された延長トレイの厚さ方向への移動を規制する規制部を対向して設け、前記突起部を前記規制部の間に位置するよう前記延長トレイに設けたことを特徴とする請求項５記載のトレイ装置。
【請求項７】
画像形成部と、前記画像形成部にシートを給送するシート給送部と、前記画像形成部にて画像が形成された後のシートが排出されるシート排紙部とを備え、かつ前記シート給送部及び前記シート排紙部の少なくとも一方に前記請求項１乃至６のいずれか１項に記載のトレイ装置を設けたことを特徴とする画像形成装置。
【発明の詳細な説明】
【技術分野】
【０００１】
本発明は、トレイ装置及び画像形成装置に関し、特に延長トレイをトレイ本体に引き出し可能に設けたものに関する。
【背景技術】
【０００２】
従来、複写機、ファクシミリ、プリンタ等の画像形成装置においては、給紙部及び排紙部の少なくともいずれか一方にシートを積載するためのトレイ装置を備えたものがある。さらに、このようなトレイ装置においては、本体トレイと、この本体トレイに引き出し可能に設けられた延長トレイとを備え、シートサイズに応じて延長トレイを適宜引き出すようにしたものがある。
【０００３】
ここで、このような延長トレイを備えたトレイ装置においては、延長トレイを引き出した際の操作感を良くするため、クリック感を伴う引き出し機構を設ける場合がある。このような引き出し機構としては、延長トレイに形成された突起部と、本体トレイに形成され、延長トレイを引き出す際、延長トレイに形成された突起部と当接する位置に形成されたリブにより構成されるものがある。
【０００４】
このような構成の引き出し機構においては、リブの形状を、延長トレイを引き出している途中は延長トレイの突起部には触れず、引き出し完了位置付近に来ると突起部に当たり、さらに引き出すと再び突起部には触れないような形状となっている。そして、このように構成することにより、クリック感を生み出すようにしている。
【０００５】
さらに、クリック感を感じた後も、延長トレイを引き出す場合に対応するようにリブに、延長トレイの抜け防止のためのストッパとしての機能を果たす形状も備える場合がある。つまり、ひとつのリブにクリック機構部と、ストッパ機構部を設けるようにしたものがある。
【０００６】
しかし、このようにひとつのリブにクリック機構部と、ストッパ機構部を設けた場合、部品作成上の誤差により延長トレイの突起部との間にガタが生じてしまい延長トレイを引き出した時、延長トレイがガタつく恐れがある。なお、これはクリック部とストッパ部が別であったとしても、互いの部品公差により延長トレイを引き出した時、延長トレイがガタつく恐れがある。
【０００７】
そこで、延長トレイを引き出した時のガタつきを防ぐための構成として、例えば延長トレイを引き出した時の、延長トレイの撓みを利用して延長トレイをストッパに突き当てる構成の引き出し機構が提案されている(特許文献１参照。)。
【０００８】
図１３は、このような従来の引き出し機構を備えたトレイ装置全体を示す斜視図である。図１３に示すように、トレイ装置２００は本体トレイ２０２と、本体トレイ２０２に取り付けられてトレイ装置２００の外観をなす下カバー２０３と、下カバー２０３にガイドされ、引き出し可能な延長トレイ２０４と、を備えている。
【０００９】
そして、通常、延長トレイ２０４は、図１３の（ａ）に示すように本体トレイ２０２と下カバー２０３とに間に形成される不図示の収納部に収納され、使用される際には、図１３の（ｂ）に示すように引き出されるようになっている。
【００１０】
ここで、延長トレイ２０４の裏面には図１４に示すように、ガイドリブ２０４ａと、クリック突起２０４ｂと、ストッパ突起２０４ｃが形成されている。また、下カバー２０３には、図１５に示すように中央部に延長トレイ２０４のガイドリブ２０４ａと嵌合して延長トレイ２０４の引き出しをガイドするガイドレール２０３ａが形成されている。
【００１１】
また、下カバー２０３には、延長トレイ２０４の両サイド部が係止され、延長トレイ２０４の引き出し方向と垂直な方向である厚さ方向の移動を規制するための略コの字型のサイド規制部２０３ｂが形成されている。さらに延長トレイ２０４を引き出したときのクリック感及び引き出し方向に力を加えるための機構としてクリックリブ２０３ｃ及びストッパリブ２０３ｄが設けられている。
【００１２】
そして、このような構成の引き出し機構においては、延長トレイ２０４が引き出されると、クリック突起２０４ｂがクリックリブ２０３ｃの斜面に沿って移動し、これに伴い延長トレイ２０４は中央部が押し上げられ、撓みを生じる。ここで、このように延長トレイ２０４がたわんだ状態となると、この後、さらに延長トレイ２０４を引き出した際、この撓み力により延長トレイ２０４は引き出す方向に力を受けるようになる。
【００１３】
これにより、図１６に示すように、ストッパリブ２０３ｄにストッパ突起２０４ｃが押し当てられるようになり、この結果、延長トレイ２０４を引き出した際の延長トレイ２０４のガタつきはなくなる。
【００１４】
【特許文献１】特開平０８−２５８９９８号公報
【発明の開示】
【発明が解決しようとする課題】
【００１５】
ところで、このような構成の引き出し機構を備えた従来のトレイ装置及びこれを備えた画像形成装置において、延長トレイを引き出した状態で、ユーザが誤って延長トレイに腕や足をぶつけ、衝撃を加えてしまう場合がある。
【００１６】
ここで、特に延長トレイの引き出し方向と直交する方向である幅方向から衝撃が加えられた場合には、延長トレイが幅方向に撓み、これによって延長トレイの位置がずれてストッパから外れる場合がある。そして、このようにストッパから外れた場合、延長トレイがガタつくようになるだけでなく、特に延長トレイが傾斜している場合には、延長トレイは引き出し方向と逆方向であるトレイ収納方向に脱落してしまう。
【００１７】
なお、特に、Ａ３サイズ以上の大きなサイズのシートに画像を形成する画像形成装置に設けられたトレイ装置は、延長トレイの幅方向の長さが長いことから、衝撃が加えられると、撓みも大きくなり、延長トレイのガタつき等が起こりやすい。
【００１８】
ここで、このような大型の画像形成装置に設けられたトレイ装置においては、例えば、延長トレイの剛性を高めることによって延長トレイの耐衝撃性を高めることにより、延長トレイのガタつき等の発生を防ぐことができる。
【００１９】
しかし、このように延長トレイの剛性を高めた場合には、延長トレイが厚くなる、或は重量化するため、引き出し機構等が大型化し、これに伴いトレイ装置が大型化する。つまり、延長トレイのガタつき等の発生を防ぐため延長トレイの剛性を高めるようにした場合、トレイ装置が大型化する。そして、このようにトレイ装置が大型化すると、今日、求められているＡ３サイズ以上の画像形成装置の軽量化、小型化が困難となる。
【００２０】
そこで、本発明は、このような現状に鑑みてなされたものであり、装置を大型化することなく、延長トレイのガタつき等の発生を防ぐことのできるトレイ装置及び画像形成装置を提供することを目的とするものである。
【課題を解決するための手段】
【００２１】
本発明は、シートを積載するトレイ本体と、前記トレイ本体に引き出し可能に設けられた延長トレイと、前記延長トレイを引き出し可能に保持する保持部材と、を備えたトレイ装置において、前記延長トレイに設けられた係止部と、前記保持部材の、前記延長トレイが引き出された際、該延長トレイに設けられた前記係止部に臨む位置に設けられた被係止部と、を備え、引き出された状態の前記延長トレイが延長トレイ引き出し方向と直交する方向へ撓んだ際、前記被係止部に前記係止部を係止させることを特徴とするものである。
【発明の効果】
【００２２】
本発明によれば、延長トレイに係止部を、保持部材に被係止部をそれぞれ設け、延長トレイが引き出し方向と直交する方向へ撓んだ際、係止部が被係止部に係止するようにする。これにより、装置を大型化することなく、延長トレイのガタつき等の発生を防ぐことができる。
【発明を実施するための最良の形態】
【００２３】
以下、本発明を実施するための最良の形態について図面を用いて詳細に説明する。
【００２４】
図１は、本発明の第１の実施の形態に係るトレイ装置を備えた画像形成装置の一例としてレーザビームプリンタの概略構成を示す図である。
【００２５】
図１において、７０はレーザビームプリンタ、７１はレーザビームプリンタ本体（以下、プリンタ本体という）、７２は画像形成部であり、この画像形成部７２の下方にはシート給送装置７３が配置されている。さらに、プリンタ本体７１の側面には、手差し給紙部８０が配置されている。
【００２６】
なお、画像形成部７２は、レーザスキャナ７４、像担持体としての感光ドラム７５を有するプロセスカートリッジ７６、感光ドラム７５に形成されたトナー像をシートＳに転写する転写ローラ７７等が設けられている。
【００２７】
シート給送装置７３は、不図示のバネにより上方に付勢されると共に昇降可能なシート積載板７３ａと、シート積載板７３ａに積載されたシートＳと圧接してシートＳを送り出す給送ローラ７３ｂ等を備えている。
【００２８】
また、手差し給紙部８０は、トレイ装置であるトレイユニット１と、トレイユニット１のシート搬送方向の延長線上に設けられた揺動板１０２と、給紙ローラ１０４とを備えている。ここで、この揺動板１０２は給紙ローラ側に付勢されており、このように揺動板１０２が付勢されることにより、給紙ローラ１０４は、給紙のための搬送圧を得ている。
【００２９】
なお、この揺動板１０２は、起動前は待機位置にあり、その下流には突き当て板１０５が配されている。そして、シートＳをセットするときは、この突き当て板１０５にシート先端をトレイユニット１上に載置するようにしている。
【００３０】
次に、このように構成されたレーザビームプリンタ７０における画像形成動作について説明する。
【００３１】
画像形成動作が開始されると、まず感光体ドラム７５に対し、レーザスキャナ７４からレーザ光Ｌが照射され、これにより感光体ドラム上には静電潜像が形成される。次に、この静電潜像は、現像スリーブ７５ａにより現像されてトナー画像として可視化される。
【００３２】
一方、このようなトナー像形成動作に並行してシート給送装置７３においては、給送ローラ７３ｂによりシートＳが送り出される。また、手差し給紙部８０においては、給紙ローラ１０４によりトレイユニット１に積載されたシートＳが送り出される。
【００３３】
そして、このようにシート給送装置７３又は手差し給紙部８０により送り出されたシートＳは、まず搬送ローラ１０６を経て、転写ローラ７７と感光体ドラム７５とにより構成される転写部７７ａに搬送される。この後、この転写部７７ａにおいて、感光体ドラム上に形成されたトナー像がシートＳ上の所定位置に転写される。
【００３４】
さらにこの後、トナー像が転写されたシートＳは定着部１０９に搬送され、この定着部１０９においてトナー像が定着され、最後に排紙ローラ対１１０を経てプリンタ本体外に排出される。
【００３５】
ところで、トレイユニット１は給紙の際、シートＳを載置しておくためのものであり、シートＳが積載される本体トレイ２と、本体トレイ２に引き出し可能に設けられた延長トレイ４とを備えている。そして、シート搬送方向長さの長いシートＳを搬送する場合には、この延長トレイ４を図１に示すように斜め上方に引き出した状態で使用するようにしている。
【００３６】
なお、本体トレイ２は、載置されたシートＳの幅方向を規制する幅規制コマ５を有しており、この幅規制コマ５によりシートＳの幅方向の位置を規制することにより、シートの斜行を防ぐようにしている。
【００３７】
図２は、延長トレイ４を含むトレイユニット全体を表す斜視図である。なお、図２は延長トレイ４を引き出した状態を示している。
【００３８】
図２において、３は本体トレイ２の下部に設けられ、トレイユニット１の外観をなすと共に延長トレイ４を引き出し可能に保持する保持部材であるカバー３である。そして、延長トレイ４は、本体トレイ２とカバー３により形成される開口部３ａ（図１参照）から引き出される構成となっている。
【００３９】
ここで、図３に示すように、カバー３の延長トレイ４の引き出し方向と直交する幅方向の長さに対応した位置には、ガイド部３Ａが対向して立設されている。そして、このガイド部３Ａは、それぞれ延長トレイ４の引き出し方向（以下、単に引き出し方向という）に延びたガイドレール３ａと、このガイドレール３ａの引き出し方向下流側に突設された被係止部の一例としての突起であるリブ３ｂとを備えている。
【００４０】
なお、図３において、３ｄは延長トレイ４を下方から支える支持用リブ、３ｅは延長トレイ４が引き出された際、延長トレイ４の厚さ方向への移動を規制し、延長トレイ４の自重による下方回動を規制する規制部である押さえリブである。
【００４１】
一方、図４に示すように、延長トレイ４の幅方向の両側端面には、カバー３のガイドレール３ａと嵌合するガイドボス４ａが突設されると共に、ガイドボス４ａの引き出し方向下流側には係止部の一例としての溝部４ｂが形成されている。なお、４ｃは延長トレイ４の引き出し、或は押し込み操作を行うための操作部である。
【００４２】
そして、ガイドボス４ａをカバー３のガイドレール３ａに嵌合することにより、延長トレイ４はカバー３に引き出し可能に保持される。つまり、延長トレイ４の引き出し機構は、このガイドボス４ａとガイドレール３ａとにより構成される。なお、本実施の形態において、このガイドレール３ａは、図２のＣ−Ｃ方向断面図である図５の（ａ）に示すように断面形状は略コの字型をなしている。
【００４３】
さらにカバー３のガイド部３Ａには、図２のＢ方向矢視図である図５の（ｂ）に示すように、延長トレイ４を引き出したときのクリック感及び引き出し方向に力を加えるための機構としてクリックリブ３ｃが形成されている。そして、延長トレイ４を所定の引き出し位置に引き出したとき、このクリックリブ３ｃが延長トレイ４のガイドボス４ａを押圧してガイドレール３ａの終端面に押し付けることにより、延長トレイ４のガタつきを無くすることができる。
【００４４】
また、延長トレイ４の両側端面の溝部４ｂは、延長トレイ４が所定の引き出し位置に引き出されたとき、図６に示すようにカバー３のリブ３ｂと対向する（臨む）位置に移動するようになっている。
【００４５】
そして、このように延長トレイ４が引き出された状態のとき、図６に示すように側面方向から矢印Ｆの力を受けると、クリックリブ３ｃとボス４ａを支点に延長トレイ４が瞬間的に矢印Ｍ方向に撓む。
【００４６】
ここで、この時、延長トレイ４の溝部４ｂはカバー３のリブ３ｂに臨む位置にあるため、このように延長トレイ４が撓むと、延長トレイ４の溝部４ｂがカバー３のリブ３ｂに係止される。図７の破線は、引き出し状態において、側面方向から矢印Ｆの力を受けたときの延長トレイ４の位置を示したものである。
【００４７】
そして、このように延長トレイ４が撓んだとき、溝部４ｂをカバー３のリブ３ｂに係止させることにより、一時的にクリックリブ３ｃにより押圧されていたガイドボス４ａがガイドレール３ａから外れても、延長トレイ４は収納方向に落下することがない。
【００４８】
一方、横からの力Ｆが加わらなくなると、延長トレイ４の撓みが戻るようになり、これに伴い溝部４ｂのカバー３のリブ３ｂとの係止は自動的に解除される。また、延長トレイ４は、カバー３のリブ３ｂにより支えられていたので、延長トレイ４の撓みが戻ると、延長トレイ４は、ボス４ａとクリックリブ３ｃのみで保持される状態に戻る。これにより、延長トレイ４はカバー３にガタつくことなく保持される。
【００４９】
このように、カバー３の両側端面にリブ３ｂを設け、延長トレイ４の両側端面に延長トレイ４が引き出された際、リブ３ｂに臨む溝部４ｂを設け、延長トレイ４が側面方向から力を受けて撓んだとき、溝部４ｂがリブ３ｂに係止するようにする。
【００５０】
そして、このように延長トレイ４が撓んだとき、溝部４ｂがリブ３ｂに係止するようにすることにより、トレイユニット１及びこれを備えたレーザビームプリンタ７０が大型化することなく、延長トレイ４のガタつき等の発生を防ぐことができる。
【００５１】
なお、延長トレイ４の溝部４ｂはカバー３のリブ３ｂに横からの力Ｆを受けている時のみ係止するため、延長トレイ４の操作に支障をきたすことはなく、操作感は維持されたままである。また、溝部４ｂをいわゆるローレット形状の一部として配置することによって、美観を美しく整えることも可能である。
【００５２】
本実施の形態においては、カバー３にリブ３ｂを、延長トレイ４に溝部４ｂをそれぞれ設けたが、カバー３に溝部を、延長トレイ４にリブを設けるように構成しても良い。また、溝部４ｂとリブ３ｂの係合個所は、図示した個所に限定するものではなく、延長トレイ４が撓んだとき、溝部４ｂがリブ３ｂに係止することができるならば延長トレイ４及びカバー３の側端面上のどこに配置しても良い。
【００５３】
次に、本発明の第２の実施の形態について説明する。
【００５４】
図８は、本実施の形態に係るトレイユニットの構成を説明する図である。
【００５５】
図８において、５３はカバー、５４はカバー５３に引き出し可能に保持された延長トレイであり、この延長トレイ５４の底面には、図８及び延長トレイ５４を下方から見た斜視図である図９に示すように上下方向に延びた突起部５４ｂが設けられている。そして、この突起部５４ｂは延長トレイ５４が引き出された際、カバー５３の引き出し方向下流側の側壁面５３ｆに臨むようになっている。
【００５６】
なお、図８において、５４ａは延長トレイ５４の両側端面に突設され、カバー５３のガイドレール５３ａと嵌合するガイドボス、５３ｃは延長トレイ５４のガイドボス５４ａを押圧するクリックリブである。
【００５７】
図１０は延長トレイ５４を引き出した状態を示す図である。なお、図１０において、５３ｄは延長トレイ４を下方から支える支持用リブ、５３ｅは延長トレイ５４が引き出された際、延長トレイ５４の自重による下方回動を規制する押さえリブである。
【００５８】
そして、このように引き出された状態で延長トレイ５４が側面方向から矢印Ｆ２の力を受けると、クリックリブ５３ｃとボス５４ａを支点に、矢印Ｍ２方向に延長トレイ５４が瞬間的に撓む。
【００５９】
ここで、このように延長トレイ５４が撓むと、図８に示すように係止部の一例としてのトレイ５４の突起部５４ｂの、カバー５３の側壁面５３ｆに臨む面５４ｂ２が、被係止部の一例としてのカバー５３の側壁面５３ｆに略平行に係止する。
【００６０】
そして、このように延長トレイ５４が撓んだとき、突起部５４ｂをカバー５３の側壁面５３ｆに係止させることにより、一時的にクリックリブ５３ｃにより押圧されていたガイドボス５４ａがガイドレール３ａから外れても、延長トレイ５４は落下することがない。
【００６１】
一方、横からの力Ｆが加わらなくなると、延長トレイ５４の撓みが戻るようになり、これに伴い突起部５４ｂのカバー５３の側壁面５３ｆとの係止は自動的に解除される。また、延長トレイ５４は、カバー５３の側壁面５３ｆにより支えられていたので、延長トレイ５４の撓みが戻ると、延長トレイ５４は、ボス５４ａとクリックリブ５３ｃのみで保持される状態に戻る。これにより、延長トレイ５４はカバー５３にガタつくことなく保持される。
【００６２】
このように、延長トレイ５４に突起部５４ｂを設け、引き出された状態の延長トレイ５４が撓んだとき、突起部５４ｂがカバー５３の側壁面５３ｆに係止するようにする。これにより、トレイユニット１及びこれを備えたレーザビームプリンタ７０が大型化することなく、延長トレイ５４のガタつき等の発生を防ぐことができる。
【００６３】
なお、本実施の形態において、ガイドレール５３ａのクリックリブ５３ｃに対応する側壁面は、僅かに延長トレイ側に盛り上がっている。これにより、図１０に示すように適正な力Ｆ３を加えると、延長トレイ５４は、左右対であるボス５４ａとクリックリブ５３ｃを両支点として図１１に示すように長手方向全体が上方に撓む。
【００６４】
そして、このように延長トレイ５４が撓むことにより、延長トレイ５４の突起部５４ｂはカバー５３の上端面５３ａとの図９に示すΔ２分の係合長さを乗り上げ、超えていく。この結果、延長トレイ５４が引き出された際、突起部５４ｂがカバー５３の側壁面５３ｆに臨む位置にあっても、小さな力で延長トレイ５４を収納することができる。これにより、操作感と、保持力を両立することができる。
【００６５】
なお、この力Ｆ３と、リブ５４ｂ及びカバー５３の側壁面５３ｆとのオーバーラップ量Δ２は、カバー５３とトレイ５４の材質から決まる弾性係数、両者の幅より適宜決めることができる。
【００６６】
また、図１１において、２箇所のリブ５４ｂの距離ｌと、２箇所の押さえリブ５４ｅの先端間の距離Ｌ＞ｌとしてある。これは、カバー５３上の、延長トレイ５４の押さえリブ５４ｅに係止される部分の幅Ｗに対し、突起部５４ｂを含めた延長トレイ５４の厚み方向の寸外れが生じた場合についても、配慮したものである。即ち、寸外れが生じた場合には、図１１中の破線方向への撓みが若干増えることにより吸収可能としてある。これにより、操作性への影響が非常に軽微となる。
【００６７】
なお、図１１においては、説明の単純化のため、延長トレイ５４の撓み位置のみを破線で示したが、カバー５３と延長トレイ５４の双方が撓むように設定することで類似の効果が得られることは自明である。
【００６８】
次に、本発明の第３の実施の形態について説明する。
【００６９】
図１２は、本実施の形態に係るトレイユニットの構成を説明する図である。
【００７０】
図１２において、６３はカバー、６４はカバー６３に引き出し可能に保持された延長トレイである。ここで、カバー６３の引き出し方向先端には幅方向に延びた被係止部の一例としての突起部６３ｆが設けられ、延長トレイ５４の底面には幅方向に延びた係止部の一例としてのリブである梁６４ｂが設けられている。そして、この梁６４ｂは延長トレイ６４が引き出された際、カバー６３の突起部６３ｆに臨むようになっている。
【００７１】
なお、図１２において、６４ａは延長トレイ６４の両側端面に突設され、カバー６３のガイドレール６３ａと嵌合するガイドボス、６３ｃは延長トレイ６４のガイドボス６４ａを押圧するクリックリブである。
【００７２】
そして、引き出された状態で延長トレイ６４が側面方向から力を受けると、クリックリブ６３ｃとボス６４ａを支点に、延長トレイ６４が瞬間的に撓む。ここで、このように延長トレイ５４が撓むと、梁６４ｂの突起部６３ｆに臨む面６４ｂ２が、カバー６３の突起部６３ｆに略平行に係止する。
【００７３】
ここで、このように延長トレイ６４が撓んだとき、梁６４ｂをカバー６３の突起部６３ｆに係止させることにより、一時的にクリックリブ６３ｃにより押圧されていたガイドボス６４ａがガイドレール６３ａから外れても、延長トレイ６４は落下することがない。
【００７４】
なお、収納の際、延長トレイ６４に適正な力Ｆ５を加えると、延長トレイ６４が撓み、これに伴い延長トレイ５４の梁６４ｂは、カバー６３の突起部６３ｆとの図１２に示すΔ３の係合を乗り上げて、超えていく。
【００７５】
この結果、延長トレイ６４が引き出された際、梁６４ｂがカバー６３の突起部６３ｆに臨む位置にあっても、小さな力で延長トレイ６４を収納することができる。これにより、操作感と、保持力を両立することができる。
【００７６】
なお、この力Ｆ５と、梁６４ｂ及びカバー６３の突起部６３ｆのオーバーラップ量Δ３とを、カバー６３と延長トレイ６４の材質から決まる弾性係数、両者の幅より適宜決めることができる。
【００７７】
なお、これまでの説明においては、トレイユニット１をレーザビームプリンタ７０の手差し給紙部に用いた場合について説明したが、画像が形成された後のシートを排出するシート排紙部に用いても良い。また、本発明はレーザビームプリンタ７０に限らず、複写機、ファクシミリ、プリンタ等の画像形成装置にも用いることができる。
【図面の簡単な説明】
【００７８】
【図１】本発明の第１の実施の形態に係るトレイ装置を備えた画像形成装置の一例としてレーザビームプリンタの概略構成を示す図。
【図２】上記トレイ装置に設けられたトレイユニット全体を表す斜視図。
【図３】上記トレイユニットを構成するカバーの斜視図。
【図４】上記トレイユニットを構成する延長トレイの斜視図。
【図５】図２の（ａ）はＣ−Ｃ断面図、（ｂ）はＢ方向矢視図。
【図６】上記トレイユニットの延長トレイが引き出されたときの状態を示す図。
【図７】上記延長トレイに側方から力を受けたときの状態を示す拡大図。
【図８】本発明の第２の実施の形態に係るトレイユニットの構成を説明する図。
【図９】上記トレイユニットを構成する延長トレイを下方から見た斜視図。
【図１０】上記トレイユニットの延長トレイが引き出されたときの状態を示す図。
【図１１】上記トレイユニットを概略正面側から見た図。
【図１２】本発明の第３の実施の形態に係るトレイユニットの構成を説明する図。
【図１３】従来のトレイ装置全体を示す斜視図。
【図１４】従来のトレイ装置を構成する延長トレイを裏面から見たときの斜視図。
【図１５】従来のトレイ装置を構成するカバーの斜視図。
【図１６】従来のトレイ装置の延長トレイを引き出したときの状態を示す図。
【符号の説明】
【００７９】
１        トレイユニット
２        本体トレイ
３        カバー
３ｂ      リブ
３ｅ      押さえリブ
４        延長トレイ
４ｂ      溝部
５３      カバー
５３ｅ  押さえリブ
５３ｆ  側壁面
５４      延長トレイ
５４ｂ    突起部
６３      カバー
６３ｆ  突起部
６４      延長トレイ
６４ｂ    梁
７０      レーザビームプリンタ
７２      画像形成部
Ｓ        シート
【図１】
2007210709.tif 000003
【図２】
2007210709.tif 000004
【図３】
2007210709.tif 000005
【図４】
2007210709.tif 000006
【図５】
2007210709.tif 000007
【図６】
2007210709.tif 000008
【図７】
2007210709.tif 000009
【図８】
2007210709.tif 000010
【図９】
2007210709.tif 000011
【図１０】
2007210709.tif 000012
【図１１】
2007210709.tif 000013
【図１２】
2007210709.tif 000014
【図１３】
2007210709.tif 000015
【図１４】
2007210709.tif 000016
【図１５】
2007210709.tif 000017
【図１６】
2007210709.tif 000018